(57)【要約】【課題】本発明は、コネクタ実装用キャップに関し、プリント基板に実装する電気コネクタのオフセット量に対して１種類で対応できるようにすることが課題である。        【解決手段】プリント基板に電気コネクタを実装する際に使用される実装用キャップであって、電気コネクタに嵌合される嵌合部１ａと、前記電気コネクタの嵌合部側に所要間隙を置いて配設される実装捨て基板側の上面に一部が載せられる上載せ部１ｂと、前記嵌合部と前記上乗せ部との間にあり前記電気コネクタの嵌合部の開口を塞ぐ閉蓋部１ｃとでなり、前記上乗せ部には、前記電気コネクタのオフセット量に対応させた階段状部分で前記実装捨て基板に設けられるキャップ用切欠き部に前記階段状部分がオフセット量ごとに対応して電気コネクタが水平になるように嵌合される異種対応階段部１ｅが設けられているコネクタ実装用キャップ１である。【選択図】図１
2006318756.tif 000002
【特許請求の範囲】
【請求項１】
プリント基板に電気コネクタを実装する際に使用される実装用キャップであって、
電気コネクタに嵌合される嵌合部と、前記電気コネクタの嵌合部側に所要間隙を置いて配設される実装捨て基板側の上面に一部が載せられる上載せ部と、前記嵌合部と前記上乗せ部との間にあり前記電気コネクタの嵌合空間の開口部を塞ぐ閉蓋部とでなり、
前記上乗せ部には、前記電気コネクタのオフセット量に対応させた階段状部分で前記実装捨て基板に設けられるキャップ用切欠き部に前記階段状部分がオフセット量ごとに対応して電気コネクタが略水平になるように嵌合される異種対応階段部が設けられていること、
を特徴とするコネクタ実装用キャップ。
【請求項２】
嵌合部は、電気コネクタの嵌合空間において嵌合時に挿入する方向と直交する上下方向で、当該嵌合空間をほぼ埋め尽くす厚さに形成されていること、
を特徴とする請求項１に記載のコネクタ実装用キャップ。
【請求項３】
上乗せ部の異種対応階段部が、基板の表裏に電気コネクタを実装できるように、当該上乗せ部の表裏に設けられていること、
を特徴とする請求項１または２に記載のコネクタ実装用キャップ。
【発明の詳細な説明】
【技術分野】
【０００１】
本発明は、例えば、ＰＣカードやＣＦカード又はエクスプレスカード等におけるプリント基板に、オフセット付き電気コネクタを実装する際に、当該コネクタを支持するコネクタ実装用キャップに関するものである。
【背景技術】
【０００２】
従来、図１０に示すＰＣカード１０等におけるプリント基板に電気コネクタを実装する場合に、前記プリント基板の端部に電気コネクタをオフセットさせて実装することがあり、ハンダ付け工程において、この電気コネクタが浮き上がらないように、実装用キャップが使用される。例えば、電気コネクタの嵌合ヘッダーに支持パッドを嵌合させて、支持板によりプリント基板に対して水平に支持されるものが知られている（特許文献１参照）。
【特許文献１】特開平０６−３６８５０号公報
【発明の開示】
【発明が解決しようとする課題】
【０００３】
しかし、従来のコネクタ実装方法では、例えば、図１１に示すように、プリント基板１１と実装用捨て基板１２との間に設けられる間隙１３の形状に合わせて電気コネクタの一部を直接載せるようにすると、オフセット量が変更される毎に電気コネクタ１４の外形形状を変更しなければならない。また、図１２に示すように、プリント基板１１ａに実装する電気コネクタ１４ａに、オフセット量に合わせた実装用キャップ１５を嵌合させて、そのキャップ１５の一部を実装用捨て基板１２ａの端部に載置している。しかしながら、電気コネクタの外形形状を変更するのでは、設計的な自由度が限定されて制約となり、実装用キャップを使用する場合には、プリント基板に対してオフセット量の異なる専用のキャップを用意する必要があり、コストが嵩んでしまうとともに、キャップの種類が多くなって部品管理にも手間が掛かることになる。更に、基板の表裏にオフセット量の異なる電気コネクタを実装できるようにすれば便宜である。そこで、本発明に係るコネクタ実装用キャップは、このような課題を解決するために提案されたものである。
【課題を解決するための手段】
【０００４】
本発明に係るコネクタ実装用キャップの上記課題を解決して目的を達成するための要旨は、プリント基板に電気コネクタを実装する際に使用される実装用キャップであって、
電気コネクタに嵌合される嵌合部と、前記電気コネクタの嵌合部側に所要間隙を置いて配設される実装捨て基板側の上面に一部が載せられる上載せ部と、前記嵌合部と前記上乗せ部との間にあり前記電気コネクタの嵌合空間の開口部を塞ぐ閉蓋部とでなり、前記上乗せ部には、前記電気コネクタのオフセット量に対応させた階段状部分で前記実装捨て基板に設けられるキャップ用切欠き部に前記階段状部分がオフセット量ごとに対応して電気コネクタが略水平になるように嵌合される異種対応階段部が設けられていることである。
【０００５】
また、前記嵌合部は、電気コネクタの嵌合空間において嵌合時に挿入する方向と直交する上下方向で、当該嵌合空間をほぼ埋め尽くす厚さに形成されていること、；
上乗せ部の異種対応階段部が、基板の表裏に電気コネクタを実装できるように、当該上乗せ部の表裏に設けられていること、；
を含むものである。
【発明の効果】
【０００６】
本発明のコネクタ実装用キャップによれば、異種対応階段部により、電気コネクタのオフセット量が変わる毎に、キャップを専用品に変えることなく、同一のキャップで対応させることことができる。
また、前記嵌合部が電気コネクタの嵌合空間において嵌合時に挿入する方向と直交する上下方向で、当該嵌合空間をほぼ埋め尽くす厚さに形成されているので、この上下方向にシェルなどを圧入方法により組立するときに、この電気コネクタの嵌合空間が潰れて変形することが無く、製品の安全性及び組立作業の信頼性が確保される。更に、基板の表裏に、電気コネクタをリバーシブルに実装させることが可能となって、適用範囲が拡大するものである。
【発明を実施するための最良の形態】
【０００７】
本発明に係るコネクタ実装用キャップ１は、図１に示すように、全体が合成樹脂製で、嵌合挿着対象となる電気コネクタ２（図２参照）に嵌合される嵌合部１ａと、前記電気コネクタ２の嵌合部側に所要間隙を置いて配設される実装捨て基板３ａ（図３参照）側の上面に一部が載せられる上載せ部１ｂと、前記嵌合部１ａと前記上乗せ部１ｂとの間にあり前記電気コネクタ２の嵌合空間の開口部をほぼ全面的に塞ぐ閉蓋部１ｃとでなる。
【０００８】
前記上乗せ部１ｂには、前記電気コネクタ２のオフセット量ｅ（図１（Ａ）参照、プリント基板３の上面から沈み込む量、一例として０．３ｍｍ程度）に対応させた階段状部分１ｄで、図３に示すように、前記実装捨て基板３ａに設けられるキャップ用切欠き部３ｂに前記階段状部分１ｄが前記オフセット量ごとに対応して前記電気コネクタ２が水平になるように嵌合される異種対応階段部１ｅが設けられている。
【０００９】
また、前記嵌合部１ａは、図４に示すように、電気コネクタ２の嵌合空間２ａにおいて嵌合時に挿入する方向と直交する上下方向で、当該嵌合空間２ａをほぼ埋め尽くす厚さに形成されている。かかる場合、嵌合部１ａの上下方向における厚さが、嵌合空間２ａをほぼ埋め尽くす厚さというのは、嵌合空間２ａの上下方向の高さと同じ寸法の厚さとするばかりでなく、それよりも若干少ない寸法の厚さで、組立工程において電気コネクタ２のハウジングが上下方向で少し縮んでも、製品の品質として何ら影響を受けない程度である場合を含むものである。
【００１０】
前記電気コネクタ２は、図２乃至図４に示すように、ＰＣカード１０用のプリント基板３の一端部側に半田付けして実装されるものである。コンタクト２ｂが複数本併設されており、後端部がプリント基板３の回路パッド３ｃに半田付けされる。
【００１１】
前記プリント基板３は、図３に示すように、ＰＣカード１０に挿着されるプリント基板３と、電気コネクタ実装時には存在して半田付け工程に使用され、それが終了後には切断線３ｄから切断されて撤去される実装捨て基板３ａと、その実装捨て基板３ａに設けられる切欠き部３ｂとがある。この切欠き部３ｂは、その幅寸法Ａが前記キャップ１の上乗せ部１ｂにおける階段状部分１ｄの、一例として示した４種類の幅ａ，ｂ，ｃ，ｄのいずれか一つに対応した幅に合わされる。このように、オフセット量ｅによって、予めプリント基板３に置いて、切欠き部３ｂの幅寸法Ａを決定してプリント基板を裁断する。
【００１２】
このようにして成るコネクタ実装用キャップ１の使用方法は、まず、図４に示すように、実装予定の電気コネクタ２の嵌合空間２ａに、前記コネクタ実装用キャップ１の嵌合部１ａを挿着する。それが図５に示す状態である。この状態で、一つの部品として供給されることもある。次に、この嵌合した状態のコネクタ実装用キャップ１と電気コネクタ２とを、図６（Ａ），（Ｂ）に示すように、前記切欠き部３ｂで幅寸法Ａにして、あるオフセット量ｅの電気コネクタ２に対応させたプリント基板３に載置する。コンタクト２ｂを各回路パッド３ｃに位置合わせをして載せる。
【００１３】
前記コネクタ実装用キャップ１の異種対応階段部１ｅが、前記切欠き部３ｂの幅寸法Ａに合った部分で嵌合する。その後、加熱工程にこのプリント基板３を流して半田付けする。そして、前記実装用捨て基板３ａをプリント基板３から切断して撤去し、次の組み立て工程に移動する。図７に示すように、プリント基板３に電気コネクタ２を実装後に、上カバー４と下カバー５とを合体させる工程においては、前記コネクタ実装用キャップ１を電気コネクタ２に挿着させたままの状態で行うものである。
【００１４】
これにより、前記コネクタ実装用キャップ１の嵌合部１ａが、嵌合空間２ａをほぼ埋め尽くすように形成されているので、上下方向において、前記上下カバー４，５を圧入する負荷が電気コネクタ２に掛かっても、この嵌合空間２ａが潰されることが無く、当該電気コネクタ２のハウジングにひび割れなどが生じることもない。
【００１５】
更に、コネクタ実装用キャップ１の閉蓋部１ｃがあることで、電気コネクタ２の嵌合空間２ａに通じる開口部を全面的に閉蓋し、ゴミ・埃等の異物の侵入を防止することができる。このように、電気コネクタ２のオフセット量ｅが変更されても、一つのコネクタ実装用キャップ１で対応させることができて、部品点数が削減されるものである。また、前記嵌合部１ａが、電気コネクタ２の組み立て工程における負荷の影響を無くして、製品の品質を安定させる。
【００１６】
本発明の他の実施例は、図８乃至図９に示すように、電気コネクタ２をプリント基板３の表面３ｅと、裏面３ｆとに実装できるようにリバースタイプにしたものである。即ち、上乗せ部１ｂの異種対応階段部１ｅが、基板３の表裏に電気コネクタ２を実装できるように、当該上乗せ部１ｂの表裏３ｅ，３ｆに設けられているコネクタ実装用キャップ１ｆである。
【００１７】
このように、異種対応階段部１ｅが上乗せ部１ｂの表裏に設けられることで、電気コネクタ２をプリント基板３にリバース実装させることが可能と成り、設計の自由度が増すものである。
【図面の簡単な説明】
【００１８】
【図１】本発明に係るコネクタ実装用キャップ１の、平面図（Ａ）、正面図（Ｂ）、側面図（Ｃ）である。
【図２】電気コネクタ２の平面図（Ａ）、側面図（Ｂ）である。
【図３】プリント基板３の平面図である。
【図４】本発明に係るコネクタ実装用キャップ１と電気コネクタ２とを嵌合させた状態の縦断面図である。
【図５】同本発明に係るコネクタ実装用キャップ１と電気コネクタ２とを嵌合させた状態の、平面図（Ａ）、正面図（Ｂ）、底面図（Ｃ）、側面図（Ｄ）、背面図（Ｅ）である。
【図６】本発明に係るコネクタ実装用キャップ１の使用状態の説明図（Ａ），（Ｂ）である。
【図７】同本発明に係るコネクタ実装用キャップ１の使用状態の説明図である。
【図８】他の実施例に係るコネクタ実装用キャップ１ｆの使用状態における平面図（Ａ）、正面図（Ｂ）、側面図（Ｃ）である。
【図９】同他の実施例に係るコネクタ実装用キャップ１ｆで電気コネクタ２をプリント基板３の表面側に実装した場合の断面図（Ａ）と、裏面側に実装した場合の断面図（Ｂ）とである。
【図１０】ＰＣカード１０の斜視図である。
【図１１】従来例に係るコネクタ実装の様子を示す説明図（Ａ），（Ｂ）である。
【図１２】同従来例に係るキャップ１５を使用したコネクタ実装の様子を示す説明図（Ａ），（Ｂ）である。
【符号の説明】
【００１９】
１          コネクタ実装用キャップ、            １ａ        嵌合部、
１ｂ        上載せ部、                          １ｃ        閉蓋部、
１ｄ        階段状部分、                        １ｅ        異種対応階段部、
１ｆ        他の実施例に係るコネクタ実装用キャップ、
２          電気コネクタ、                      ２ａ        嵌合空間、
３          プリント基板、                      ３ａ        実装捨て基板、
３ｂ        切欠き部、                          ３ｃ        回路パッド、
３ｄ        切断線、
４          上カバー、
５          下カバー、
１０        ＰＣ  カバー、
１１        プリント基板、
１２        実装用捨て基板、
１３        間隙、
１４        電気コネクタ、
１５        従来の実装用キャップ。
【図１】
2006318756.tif 000003
【図２】
2006318756.tif 000004
【図３】
2006318756.tif 000005
【図４】
2006318756.tif 000006
【図５】
2006318756.tif 000007
【図６】
2006318756.tif 000008
【図７】
2006318756.tif 000009
【図８】
2006318756.tif 000010
【図９】
2006318756.tif 000011
【図１０】
2006318756.tif 000012
【図１１】
2006318756.tif 000013
【図１２】
2006318756.tif 000014